(57)【特許請求の範囲】
【請求項１】
カメラボディに固定される固定環と；
フォーカスレンズ群を支持し、上記固定環に光軸方向に直進案内されたレンズ支持環と；
光軸を中心に回動可能に支持され、回動操作により上記レンズ支持環を光軸方向に移動させるフォーカスレンズ駆動環と；
光軸を中心に回動可能に支持され、上記レンズ支持環を電動で駆動するＡＦ位置と手動で駆動するＭＦ位置とに回動操作可能なＡＦ／ＭＦ切替環と；
上記固定環に支持され、上記フォーカスレンズ駆動環と上記ＡＦ／ＭＦ切替環との対向面の間に位置するトルク付加部材と；
上記ＡＦ／ＭＦ切替環の上記ＭＦ位置と上記ＡＦ位置への回動切替動作に応じ、上記トルク付加部材を上記フォーカスレンズ駆動環側へ押圧して当接させる押圧位置と、この押圧力を開放する開放位置とに移動する押圧部材と；
を備えたレンズ鏡筒において、
さらに、レンズ鏡筒の固定部に形成された、ＡＦ位置とＭＦ位置にそれぞれ対応する第１クリック溝と第２クリック溝とを備え、
押圧部材は、ＡＦ位置に移動したときは上記第１クリック溝と係合し、ＭＦ位置に移動したときは上記第２クリック溝と係合し、
トルク付加部材は、上記第１クリック溝と対向する位置に形成された凹部と、上記第２クリック溝と対向する位置に形成された平坦部とを有し、
押圧部材が上記第１クリック溝に係合するときは上記凹部内に該押圧部材の一部が入り込んでトルク付加部材は弾性変形されず、
押圧部材が上記第２クリック溝に係合するときは該押圧部材が上記平坦部を押圧してトルク付加部材が弾性変形されることを特徴とするレンズ鏡筒。
【請求項２】
請求項１記載のレンズ鏡筒において、レンズ支持環の外周面上には被案内部材が突設されており、この被案内部材が、固定環に形成された直進案内溝を通ってフォーカスレンズ駆動環の内周面に形成されたリード溝に嵌っているレンズ鏡筒。
【請求項３】
カメラボディに固定される固定環と；
光軸を中心に回動可能に支持され、回動操作によりフォーカスレンズ群を光軸方向に移動させるフォーカスレンズ駆動環と；
光軸を中心に回動可能に支持され、上記フォーカスレンズ群を電動で駆動するＡＦ位置と手動で駆動するＭＦ位置とに回動操作可能なＡＦ／ＭＦ切替環と；
上記固定環に支持され、上記フォーカスレンズ駆動環と上記ＡＦ／ＭＦ切替環によって挟まれるトルク付加部材と；
上記ＡＦ／ＭＦ切替環に、該ＡＦ／ＭＦ切替環と周方向には一体に移動するように支持された、上記トルク付加部材に当接可能な押圧部材と；
を備えたレンズ鏡筒において、
さらに、ＡＦ／ＭＦ切替環がＭＦ位置にあるとき、押圧部材に押圧されてトルク付加部材をフォーカスレンズ駆動環側に押圧する、トルク付加部材に形成された平坦部と；
ＡＦ／ＭＦ切替環がＡＦ位置にあるとき、押圧部材の少なくとも一部を受け入れてトルク付加部材への押圧力を開放する、トルク付加部材の平坦部に続けて形成された逃げ溝と；
レンズ鏡筒の固定部に形成された、上記逃げ溝と上記平坦部にそれぞれ対向する第１クリック溝と第２クリック溝と；
を備え、
押圧部材は、ＡＦ位置に移動したときは上記第１クリック溝と係合し、ＭＦ位置に移動したときは上記第２クリック溝と係合し、
押圧部材が上記第１クリック溝に係合するときは上記凹部内に該押圧部材の一部が入り込んでトルク付加部材は弾性変形されず、
押圧部材が上記第２クリック溝に係合するときは該押圧部材が上記平坦部を押圧してトルク付加部材が弾性変形されることを特徴とするレンズ鏡筒。
【請求項４】
請求項１または３のいずれか１項記載のレンズ鏡筒において、押圧部材はクリックボールであるレンズ鏡筒。
【請求項５】
請求項１または３のいずれか１項記載のレンズ鏡筒において、押圧部材は円筒形のコロであるレンズ鏡筒。
【発明の詳細な説明】
【０００１】
【産業上の利用分野】
本発明は、モータ駆動によるＡＦ（オートフォーカス）と、手動操作によるＭＦ（マニュアルフォーカス）の両方が可能であるレンズ鏡筒に関する。
【０００２】
【従来技術およびその問題点】
ＡＦ用のレンズ鏡筒は一般に、手動にて回動操作されるＭＦ操作リングを備えており、このＭＦ操作リングはＡＦ時にも回動する。つまり、ＡＦとＭＦが兼用されている。このレンズ鏡筒では、ＡＦ時、ＡＦ用モータにかかる負荷を低減させるために、フォーカスレンズを低トルクで駆動できるように構成されている。
【０００３】
ところが、この低トルク性はＭＦ操作時にも変わらないため、撮影者は、ＭＦ操作リングを手動で回動操作するときには、軽すぎて、良好な操作感を得ることができない。
【０００４】
【発明の目的】
本発明は、上述した従来の問題点に着目して成されたもので、ＭＦ時におけるＭＦ操作リングの操作感が良好なレンズ鏡筒を提供することを目的とする。
【０００５】
【発明の概要】
本発明のレンズ鏡筒は、カメラボディに固定される固定環と；フォーカスレンズ群を支持し、上記固定環に光軸方向に直進案内されたレンズ支持環と；光軸を中心に回動可能に支持され、回動操作により上記レンズ支持環を光軸方向に移動させるフォーカスレンズ駆動環と；光軸を中心に回動可能に支持され、上記レンズ支持環を電動で駆動するＡＦ位置と手動で駆動するＭＦ位置とに回動操作可能なＡＦ／ＭＦ切替環と；上記固定環に支持され、上記フォーカスレンズ駆動環と上記ＡＦ／ＭＦ切替環との対向面の間に位置するトルク付加部材と；上記ＡＦ／ＭＦ切替環の上記ＭＦ位置と上記ＡＦ位置への回動切替動作に応じ、上記トルク付加部材を上記フォーカスレンズ駆動環側へ押圧して当接させる押圧位置と、この押圧力を開放する開放位置とに移動する押圧部材と；
を備えたレンズ鏡筒において、さらに、レンズ鏡筒の固定部に形成された、ＡＦ位置とＭＦ位置にそれぞれ対応する第１クリック溝と第２クリック溝とを備え、押圧部材は、ＡＦ位置に移動したときは上記第１クリック溝と係合し、ＭＦ位置に移動したときは上記第２クリック溝と係合し、トルク付加部材は、上記第１クリック溝と対向する位置に形成された凹部と、上記第２クリック溝と対向する位置に形成された平坦部とを有し、押圧部材が上記第１クリック溝に係合するときは上記凹部内に該押圧部材の一部が入り込んでトルク付加部材は弾性変形されず、押圧部材が上記第２クリック溝に係合するときは該押圧部材が上記平坦部を押圧してトルク付加部材が弾性変形されることを特徴としている。
【０００６】
また本発明のレンズ鏡筒は、カメラボディに固定される固定環と；光軸を中心に回動可能に支持され、回動操作によりフォーカスレンズ群を光軸方向に移動させるフォーカスレンズ駆動環と；光軸を中心に回動可能に支持され、上記フォーカスレンズ群を電動で駆動するＡＦ位置と手動で駆動するＭＦ位置とに回動操作可能なＡＦ／ＭＦ切替環と；上記固定環に支持され、上記フォーカスレンズ駆動環と上記ＡＦ／ＭＦ切替環によって挟まれるトルク付加部材と；上記ＡＦ／ＭＦ切替環に、該ＡＦ／ＭＦ切替環と周方向には一体に移動するように支持された、上記トルク付加部材に当接可能な押圧部材と；を備えたレンズ鏡筒において、さらに、ＡＦ／ＭＦ切替環がＭＦ位置にあるとき、押圧部材に押圧されてトルク付加部材をフォーカスレンズ駆動環側に押圧する、トルク付加部材に形成された平坦部と；ＡＦ／ＭＦ切替環がＡＦ位置にあるとき、押圧部材の少なくとも一部を受け入れてトルク付加部材への押圧力を開放する、トルク付加部材の平坦部に続けて形成された逃げ溝と；レンズ鏡筒の固定部に形成された、上記逃げ溝と上記平坦部にそれぞれ対向する第１クリック溝と第２クリック溝と；を備え、押圧部材は、ＡＦ位置に移動したときは上記第１クリック溝と係合し、ＭＦ位置に移動したときは上記第２クリック溝と係合し、押圧部材が上記第１クリック溝に係合するときは上記凹部内に該押圧部材の一部が入り込んでトルク付加部材は弾性変形されず、押圧部材が上記第２クリック溝に係合するときは該押圧部材が上記平坦部を押圧してトルク付加部材が弾性変形されることを特徴としている。
【０００７】
【発明の実施例】
以下図示実施例に基づいて本発明を説明する。図１は、本発明を一眼レフカメラの交換レンズに適用した実施例である。このレンズ鏡筒１０は、第１レンズ群Ｌ１と第２レンズ群Ｌ２を有する固定焦点距離のレンズ鏡筒であり、フォーカシングは、これら第１レンズ群Ｌ１と第２レンズ群Ｌ２を光軸Ｏ方向に一体に移動させることで行われる。
【０００８】
このレンズ鏡筒１０は、固定環１１、マウント継環１４、及びマウント部材１８がカメラボディ（図示せず）に固定される固定鏡筒を構成する。固定環１１には、フォーカスレンズ駆動環１２が光軸Ｏを中心に回動可能に嵌められている。このフォーカスレンズ駆動環１２は、ＭＦの際に手動で回動操作される。このフォーカスレンズ駆動環１２は、固定環１１の前端に形成された外周フランジ部１１ａと、固定環１１の後端にネジ１３を介して固定されたマウント継環１４の規制端面１４ａとによって光軸方向の移動を規制されており、回動のみ可能である。このフォーカスレンズ駆動環１２の外周面には、ＭＦ操作時の把持部となるゴムリング１５が固定されており、また前端部には補強環１６が固定されている。
【０００９】
マウント継環１４の外周後部には、光軸Ｏを中心に回動可能な絞り環１７が嵌められている。マウント継環１４の後端にはマウント部材１８が固定されている。マウント部材１８の後端部には、周方向に等間隔で複数のバヨネット爪１８ｂが形成されている。レンズ鏡筒１０は、この複数のバヨネット爪１８ｂを、カメラボディに設けられたレンズマウント部が有する複数のバヨネット爪（図示せず）に係合させることでカメラボディに装着される。
【００１０】
固定環１１の内周面には、第１レンズ群Ｌ１及び第２レンズ群Ｌ２を支持するレンズ支持環２０が嵌められている。このレンズ支持環２０の後端部内周面には第２レンズ群Ｌ２が固定されている。レンズ支持環２０の前端部内周面には、内周面に第１レンズ群Ｌ１が固定された第１レンズ群枠２４が固定されている。この第１レンズ群枠２４は、ネジ２３を介してレンズ支持環２０に固定されている。このレンズ支持環２０の外周面には、ネジ２１を介してローラー（被案内部材）２２が突設されている。このローラー２２は、固定環１１に形成された、光軸Ｏと平行に延びる直進案内溝１１ｂに嵌っている。またローラー２２の先端部２２ａは、フォーカスレンズ駆動環１２の内周面に形成されたリード溝１２ａに嵌入している。このリード溝１２ａは、フォーカスレンズ駆動環１２の内周面に螺線状に形成されている。よって、フォーカスレンズ駆動環１２が回動すると、ローラー２２が直進案内溝１１ｂに直進案内された状態でリード溝１２ａに沿って前後移動し、よってレンズ支持環２０が前後方向に移動する。
【００１１】
第１レンズ群枠２４には筒状部２４ａが一体に形成されており、この筒状部２４ａの内周面前端には雌ねじ２４ｂが形成されている。この雌ねじ２４には、ネジ２３の頭部を覆う化粧環２５に形成された雄ねじ２５ａが螺合されている。また雌ねじ２４は、フィルターやレンズフード等のレンズアクセサリー（図示せず）を装着するために利用される。第１レンズ群Ｌ１と第２レンズ群Ｌ２の間には、レンズ支持環２０の内周面に固定された公知の絞り開閉機構２６が設けられている。
【００１２】
マウント継環１４の内方には、トルク操作環（ＡＦ／ＭＦ切替環）２９が光軸Ｏを中心に回動可能に設けられている。このトルク操作環２９は、プレス成形された金属製の環状部材からなっている。マウント継環１４には案内面１４ｂが形成されており、トルク操作環２９は、その後面２９ａをこの案内面１４ｂに沿わせて配置されている。またトルク操作環２９の前面２９ｂは、フォーカスレンズ駆動環１２に形成された係合面１２ｂに対向している。案内面１４ｂと係合面１２ｂの夫々は、光軸Ｏと直交する面として形成されている。つまり、案内面１４ｂ、トルク操作環２９の前面２９ｂと後面２９ａ、及び係合面１２ｂは、互いに平行とされている。
【００１３】
マウント継環１４の外周面上の所定箇所には、手動にて操作されるＡＦ／ＭＦ切替操作部材２７が設けられている。このＡＦ／ＭＦ切替操作部材２７は、レンズ鏡筒１０の内方に延びるその延出部２７ａが、マウント継環１４に形成された周方向に延びる長孔１４ｄを通ってネジ２８を介してトルク操作環２９に固定されている。よってＡＦ／ＭＦ切替操作部材２７は長孔１４ｄの長さ範囲でスライド移動可能とされ、スライド操作されるとトルク操作環２９も共に移動（回動）する。ＡＦ／ＭＦ切替操作部材２７は、一方のスライド端であるＡＦ選択位置Ｐ１と他方のスライド端であるＭＦ選択位置Ｐ２とにスライド移動可能とされている。
【００１４】
トルク操作環２９の前面２９ｂとフォーカスレンズ駆動環１２の係合面１２ｂとの間には、略四角柱形状のトルク付加部材３２が周方向に等間隔で３箇所に設けられている。このトルク付加部材３２は、ポリアセタール等の樹脂材料からなるもので、周方向の両端部に形成された突出部３２ａがマウント継環１４に形成された光軸Ｏと平行に延びる案内溝１４ｃに摺動可能に嵌っている。つまりトルク付加部材３２は、案内溝１４ｃと突出部３２ａとを介して光軸Ｏと平行な方向に移動可能にマウント継環１４に支持されている。またトルク付加部材３２は、周方向に延びる長孔３２ｂと、この長孔３２ｂを挟んで前後に位置する前端部３２ｃ及び後端部３２ｄと、前端部３２ｃの前端面から係合面１２ｂに向かって突出する係合凸部３２ｅと、後端部３２ｄの後端面に形成された凹部３２ｆ（凹部、逃げ溝）とを有している。トルク付加部材３２は、光軸Ｏと平行な方向で若干の隙間をもって前面２９ｂと係合面１２ｂとの間に位置されており、このため通常ではフォーカスレンズ駆動環１２の係合面１２ｂにその係合凸部３２ｅを押圧してフォーカスレンズ駆動環１２の回動を妨げることはない。
【００１５】
トルク操作環２９には、ＡＦ／ＭＦ切替操作部材２７がＡＦ選択位置Ｐ１に位置するときにトルク付加部材３２の各凹部３２ｆと対向する部分に、前後方向に貫通する孔２９ｃが形成されている。各孔２９ｃには、その直径がトルク操作環２９の厚みよりも大きい金属製のクリックボール（押圧部材）３４が嵌っている。このクリックボール３４は、ＡＦ／ＭＦ切替操作部材２７がＡＦ選択位置Ｐ１に位置するときに、マウント継環１４の案内面１４ｂに形成された第１クリック溝１４ｅと係合する（図２の実線）。ＡＦ／ＭＦ切替操作部材２７がＡＦ選択位置Ｐ１に位置するときは、トルク操作環２９の前面２９ｂから突出するクリックボール３４の一部が凹部３２ｆ内に位置するので、クリックボール３４はトルク付加部材３２に対して当接はしても圧接はしない。このとき、トルク付加部材３２はその開放位置に位置している。
【００１６】
ＡＦ／ＭＦ切替操作部材２７がＭＦ選択位置Ｐ２に位置するとき、このクリックボール３４は、マウント継環１４の案内面１４ｂに形成された、第１クリック溝１４ｅと隣接する第２クリックストップ溝１４ｆと係合する（図２の一点鎖線）。このとき、トルク操作環２９の前面２９ｂから突出するクリックボール３４の一部は、凹部３２ｆが形成されていないトルク付加部材３２の後端面（平坦部）３２ｇと当接する。トルク付加部材３２の後端面３２ｇとトルク操作環２９の前面２９ｂの間の隙間と、係合凸部３２ｅの前端面３２ｈとフォーカスレンズ駆動環１２の係合面１２ｂの間の隙間との合計長さは、トルク操作環２９の前面２９ｂから突出するクリックボール３４の突出量よりも小さく設定されている。よって、ＡＦ／ＭＦ切替操作部材２７がスライド端部Ｐ１からＭＦ選択位置Ｐ２に移動されると、トルク操作環２９の前面２９ｂから突出するクリックボール３４の一部は、凹部３２ｆを脱出して後端面３２ｇ上に移動し該後端面３２ｇを前方（図２の左方）に向けて押圧する。この押圧によってトルク付加部材３２が案内溝１４ｃに沿って前方（押圧位置）に移動し、続いてトルク付加部材３２の後端部３２ｄが長孔３２ｂ内に向かって湾曲変形し、この湾曲変形を復元させようとするトルク付加部材３２の弾性復元力によって係合凸部３２ｅの前端面３２ｈがフォーカスレンズ駆動環１２の係合面１２ｂに対して圧接される。よって、ＡＦ／ＭＦ切替操作部材２７がＭＦ選択位置Ｐ２に位置するときはトルク付加部材３２の係合凸部３２ｅが係合面１２ｂに対して圧接してフォーカスレンズ駆動環１２に一定の回転トルクが与えられ、ＡＦ／ＭＦ切替操作部材２７がスライド端部Ｐ１に位置するときは係合凸部３２ｅの係合面１２ｂへの圧接が解除されてフォーカスレンズ駆動環１２に上記一定の回転トルクが与えられない。
【００１７】
レンズ鏡筒１０は、該レンズ鏡筒１０後端部周縁の一部からその後端部を露出させた、光軸Ｏと平行な方向に延びるジョイント軸３５を有している。このジョイント軸３５は、レンズ鏡筒１０がカメラに装着されたときに後端部に形成された連結部３５ａがカメラボディ側に設けられたＡＦ駆動軸の連結部（図示せず）と連結して回転駆動されるもので、連結部３５ａの直前に形成された被支持環状部３５ｂがマウント部材１８に形成された軸受孔１８ｃに支持され、前端部３５ｃがマウント継環１４に形成された軸受孔１４ａに支持されている。ジョイント軸３５の前端部３５ｃ直後にはクラッチ爪３５ｄが形成されている。
【００１８】
ジョイント軸３５上には、ジョイントギヤ３６がジョイント軸３５の軸方向に沿って移動可能かつ回動自在に嵌められている。このジョイントギヤ３６は、フォーカスレンズ駆動環１２の後端部に形成された外周ギヤ１２ｄと常時噛合するギヤ部３６ａを有している。またジョイントギヤ３６は、このギヤ部３６ａと離間した前端部に、ジョイント軸３５のクラッチ爪３５ｄと係合可能なクラッチ爪３６ｂを有している。ジョイントギヤ３６は、ジョイントギヤ３６と被支持環状部３５ｂとの間に設けられた圧縮バネ３７によって常時前方（図３の左方）に付勢されている。
【００１９】
レンズ鏡筒１０は、ジョイント軸３５近傍にＡＦ／ＭＦ切替スイッチ４０を有している。このＡＦ／ＭＦ切替スイッチ４０は、ブラシ支持部材４１と、このブラシ支持部材４１に固定された接点ブラシ４２と、この接点ブラシ４２が摺接する所定の接点パターンが形成されたコード基板（図示せず）と有している。ブラシ支持部材４１は、マウント継環１４に支持された光軸Ｏと平行に延びるガイドシャフト４３上に移動可能に嵌められている。またブラシ支持部材４１は、ジョイント軸３５に近接する側の一端部４１ａがジョイントギヤ３６と結合されている。より詳細には、一端部４１ａには軸受孔４１ｂが形成されており、この軸受孔４１ｂにギヤ部３６ａとクラッチ爪３６ｂの間のジョイントギヤ３６部分が回動自在に嵌っている。この構造により、ブラシ支持部材４１がガイドシャフト４３に沿って移動すると、ジョイントギヤ３６も共にジョイント軸３５に沿って移動する。また圧縮バネ３７の付勢力により、ブラシ支持部材４１は、ジョイントギヤ３６と共に常時前方（図３の左方）に付勢されている。
【００２０】
またブラシ支持部材４１は、その一端部４１ａ近傍に、トルク操作環２９の後面２９ａに対して傾斜する傾斜面４１ｃを有している。この傾斜面４１ｃには、トルク操作環２９の後面２９ａから後方に向けて突設された係合突起２９ｄが当接する。この構造により、トルク操作環２９が図３に示す位置から図中のＤ方向（レンズ鏡筒１０の前方側（物体側）から視て反時計回り方向）に所定量回転すると、係合突起２９ｄが傾斜面４１ｃ上を摺接しながらブラシ支持部材４１を後方に移動させる。
【００２１】
トルク操作環２９の係合突起２９ｄは、ＡＦ／ＭＦ切替操作部材２７がスライド位置Ｐ１に位置するときは図３に実線で示す位置に位置される。このとき、ジョイントギヤ３６のクラッチ爪３６ｂはジョイント軸３５のクラッチ爪３５ｄと係合しており、他方、ブラシ支持部材４１の接点ブラシ４２は上記コード基板上におけるＡＦ選択のための接点パターン上に当接しており、よってＡＦが選択された状態にある。この状態から、ＡＦ／ＭＦ切替操作部材２７をスライド位置Ｐ２にスライド移動させると、トルク操作環２９が図３に示す位置から図中のＤ方向（レンズ鏡筒１０の前方側（物体側）から視て反時計回り方向）に所定量回転し、係合突起２９ｄが図３中の実線で示す位置から二点鎖線で示す位置に移動する。この移動により、係合突起２９ｄが傾斜面４１ｃ上を摺接しながらブラシ支持部材４１を後方に移動させる。このとき、ジョイントギヤ３６はジョイント軸３５に沿って後方に移動してクラッチ爪３６ｂはクラッチ爪３５ｄとの係合を解除し、他方、ブラシ支持部材４１もガイドシャフト４３に沿って後方に移動して接点ブラシ４２が上記コード基板上におけるＭＦ選択のための接点パターン上に当接してＭＦが選択される。
【００２２】
以上の構造を有する本発明のレンズ鏡筒１０は以下のように動作する。ＡＦ／ＭＦ切替操作部材２７がＡＦ選択位置Ｐ１に位置されているときには、接点ブラシ４２が上記コード基板上におけるＡＦ選択のための接点パターン上に当接してＡＦが選択され、他方、ジョイントギヤ３６のクラッチ爪３６ｂはジョイント軸３５のクラッチ爪３５ｄと係合しており、よって、カメラ側に設けられたＡＦモータ（図示せず）からの回動力がジョイント軸３５、ジョイントギヤ３６、外周ギヤ１２ｄを介してフォーカスレンズ駆動環１２に伝達される。このフォーカスレンズ駆動環１２の回動により、レンズ支持環２０がリード溝１２ａ、ローラー２２、直進案内溝１１ｂの関係によって光軸Ｏ前方に移動し、この移動により第１レンズ群Ｌ１と第２レンズ群Ｌ２が光軸Ｏに沿って移動されてＡＦが行われる。
【００２３】
またＡＦ／ＭＦ切替操作部材２７がＡＦ選択位置Ｐ１に位置されているときには、トルク操作環２９の前面２９ｂから突出するクリックボール３４の一部が凹部３２ｆ内に位置するので、フォーカスレンズ駆動環１２には、トルク付加部材３２による回転トルクが付加されない。
【００２４】
ＡＦ／ＭＦ切替操作部材２７を、このＡＦ選択位置Ｐ１に位置されている状態からＭＦ選択位置Ｐ２にスライド移動させると、ブラシ支持部材４１が後方に移動して接点ブラシ４２が上記コード基板上におけるＭＦ選択のための接点パターン上に当接してＭＦが選択され、他方、ジョイントギヤ３６が後方に移動してクラッチ爪３６ｂはジョイント軸３５のクラッチ爪３５ｄとの係合を解除し、よって、ジョイントギヤ３６がジョイント軸３５に対して空転状態となる。
【００２５】
また、このＡＦ／ＭＦ切替操作部材２７のＭＦ選択位置Ｐ２へのスライド移動と同時にクリックボール３４が第１クリック溝１４ｅから第２クリック溝１４ｆへ移動し、よってトルク操作環２９の前面２９ｂから突出するクリックボール３４の一部が、凹部３２ｆを脱出して後端面３２ｇ上に移動し該後端面３２ｇを前方に向けて押圧し、これによってトルク付加部材３２がその開放位置から押圧位置に移動され、よって係合凸部３２ｅの前端面３２ｈがフォーカスレンズ駆動環１２の係合面１２ｂに対して圧接される。よって、ＡＦ／ＭＦ切替操作部材２７がＭＦ選択位置に位置されるときには、トルク付加部材３２によって、フォーカスレンズ駆動環１２に一定の回転トルクが付加される。このＭＦが選択されている状態からＡＦを選択する場合には、ＡＦ／ＭＦ切替操作部材２７をＡＦ選択位置Ｐ１にスライド移動してればよい。すると、トルク付加部材３２はその押圧位置から開放位置に移動されて上記一定の回転トルクの付加は解除される。
【００２６】
以上のように、本発明を適用したレンズ鏡筒１０によれば、ＭＦ時にはフォーカスレンズ駆動環１２に一定の回転トルクが付加されるので、ＭＦ時におけるフォーカスレンズ駆動環１２の操作感が向上する。またＡＦ時には同回転トルクはフォーカスレンズ駆動環１２に付加されないので、カメラ側に設けられたＡＦモータ（図示せず）に不必要な負荷を与えることがない。
【００２７】
また本発明を適用したレンズ鏡筒１０によれば、ＡＦ／ＭＦ切替操作部材２７を切り替え操作するときのクリック感を、ＭＦとＡＦとでフォーカスレンズ駆動環１２の回転トルクを変化させる機構（第１クリック溝１４ｅ、第２クリック溝１４ｆ、孔２９ｃ、クリックボール３４、トルク付加部材３２等を含む機構）中に含ませる構成としたので、ＡＦ／ＭＦ切替操作部材２７のクリック感を出すための機構を新設する必要がなく、よって製造コストを削減することができる。
【００２８】
また本発明を適用したレンズ鏡筒１０によれば、ＭＦ時にフォーカスレンズ駆動環１２がトルク付加部材３２により常時前方に押されるので、ＭＦ時におけるフォーカシングの際に固定環１１とフォーカスレンズ駆動環１２との間でのがたつきを防止できる。
【００２９】
上記実施例ではレンズ鏡筒として、一眼レフカメラ等に装着されるレンズ鏡筒１０に関して説明したが、本発明はこれに限定されることなく、カメラボディに一体に設けられたレンズ鏡筒にも適用することができる。
【００３０】
また上記実施例のレンズ鏡筒１０は、カメラ側に設けられたＡＦモータ（図示せず）によってジョイント軸３５が駆動される構成を有しているが、ＡＦモータをレンズ鏡筒１０内に設け、このＡＦモーターによりジョイント軸３５を駆動する構成としてもよい。
【００３１】
また上記実施例では、トルク付加部材としてポリアセタール等の樹脂材料からなるトルク付加部材３２に関して説明したが、トルク付加部材３２を、ある程度の弾性を有する他の材料から構成してもよい。またトルク付加部材の形状はトルク付加部材３２の形状に限定されず、ＡＦ／ＭＦ切替操作部材２７のＭＦ選択位置Ｐ２へのスライド移動によりクリックボール３４に押圧されてフォーカスレンズ駆動環１２の係合面１２ｂに圧接するものであれば他の形状でもよい。また上記実施例ではトルク付加部材を周方向に等間隔で３箇所に設ける構成としたが、２箇所または３箇所以上設ける構成としてもよい。
【００３２】
また上記実施例では、押圧部材としてクリックボール３４に関して説明したが、押圧部材として円筒形のコロを用いてもよい。
【００３３】
また上記実施例では、第１レンズ群Ｌ１及び第２レンズ群Ｌ２を有する固定焦点距離レンズ鏡筒として構成されたレンズ鏡筒１０に本発明を適用しているが、他のレンズ構成を有する固定焦点距離のレンズ鏡筒やズームレンズ鏡筒にも適用可能である。
【００３４】
【発明の効果】
以上のように、本発明のレンズ鏡筒によれば、ＡＦ／ＭＦ切替スイッチがＭＦ側に切り替えられているとき、フォーカスレンズ駆動環に一定の回転トルクを付加するトルク付加手段を設ける構成としたので、ＭＦ時におけるＭＦ操作リングの操作感が向上する。
【図面の簡単な説明】
【図１】本発明を適用したレンズ鏡筒の光軸より上半を示す断面図である。
【図２】同図に示すレンズ鏡筒の要部を示す図である。
【図３】ＡＦが選択された状態でのレンズ鏡筒の要部を示す図である。
【図４】マウント継環、トルク操作環、及びトルク付加部材との関係を示す断面図である。
【符号の説明】
１０  レンズ鏡筒
１１  固定環
１２  フォーカスレンズ駆動環
１４  マウント継環
１７  絞り環
１８  マウント部材
２０  レンズ支持環
２２  ローラー（被案内部材）
２４  第１レンズ群枠
２６  絞り開閉機構
２７  ＡＦ／ＭＦ切替操作部材
２９  トルク操作環（ＡＦ／ＭＦ切替環）
３２  トルク付加部材
３４  クリックボール（押圧部材）
３５  ジョイント軸
３５ｄ  クラッチ爪
３６  ジョイントギヤ
３６ｂ  クラッチ爪
３７  圧縮バネ
４０  ＡＦ／ＭＦ切替スイッチ
４１  ブラシ支持部材
４２  接点ブラシ
４３  ガイドシャフト
Ｌ１  第１レンズ群
Ｌ２  第２レンズ群
Ｏ  光軸
【図１】
0003586320.tif 000002
【図２】
0003586320.tif 000003
【図３】
0003586320.tif 000004
【図４】
0003586320.tif 000005